【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
一対の基板間に液晶層を挟持してなり、１つのドット領域内に透過表示を行う透過表示領域と反射表示を行う反射表示領域とが設けられた液晶表示装置であって、
前記液晶層は、垂直配向モードの液晶であり且つ誘電異方性が負の液晶からなり、
前記反射表示領域には、反射光を散乱させる光散乱付与手段が具備される一方、
前記透過表示領域には、前記液晶層に対向する側に、液晶分子の倒れる方向を規制する凹凸形状を付与する凹凸形状付与手段が具備されており、
前記光散乱付与手段と前記凹凸形状付与手段とが同一部材にて形成され、
前記光散乱付与手段及び前記凹凸形状付与手段は、複数の樹脂ボールを、該樹脂ボールとは屈折率の異なる樹脂バインダー内に分散させて形成され、
前記凹凸形状付与手段は、前記光散乱付与手段よりも低密度に、前記樹脂バインダー内に前記樹脂ボールを分散させて形成されており、
前記透過表示領域の前記樹脂バインダーの表面に、前記液晶分子の倒れる方向を規制する凹凸形状が付与されていることを特徴とする液晶表示装置。
【請求項２】
前記反射表示領域の前記樹脂バインダーの表面にも、凹凸形状が付与されており、
前記反射表示領域の凹凸形状は、前記透過表示領域の凹凸形状よりも段差の数が多いことを特徴とする請求項１に記載の液晶表示装置。
【請求項３】
一対の基板間に液晶層を挟持してなり、１つのドット領域内に透過表示を行う透過表示領域と反射表示を行う反射表示領域とが設けられた液晶表示装置であって、
前記液晶層は、垂直配向モードの液晶であり且つ誘電異方性が負の液晶からなり、
前記反射表示領域には、反射光を散乱させる光散乱付与手段が具備される一方、
前記透過表示領域には、前記液晶層に対向する側に、液晶分子の倒れる方向を規制する凹凸形状を付与する凹凸形状付与手段が具備されており、
前記光散乱付与手段と前記凹凸形状付与手段とが同一部材にて形成され、
前記反射表示領域には、前記光散乱付与手段として、前記反射表示領域に形成された反射膜に凹凸形状を付与するための凹凸付与層が形成されており、
前記反射表示領域の前記液晶層に対向する側には、液晶分子の倒れる方向を規制し且つ前記凹凸付与層に倣った凹凸形状が形成されていることを特徴とする液晶表示装置。
【請求項４】
一対の基板間に液晶層を挟持してなり、１つのドット領域内に透過表示を行う透過表示領域と反射表示を行う反射表示領域とが設けられた液晶表示装置であって、
前記液晶層は、垂直配向モードの液晶であり且つ誘電異方性が負の液晶からなり、
前記反射表示領域には、反射光を散乱させる光散乱付与手段が具備される一方、
前記透過表示領域には、前記液晶層に対向する側に、液晶分子の倒れる方向を規制する凹凸形状を付与する凹凸形状付与手段が具備されており、
前記光散乱付与手段と前記凹凸形状付与手段とが同一部材にて構成され、
前記反射表示領域における前記光散乱付与手段の占有面積よりも、前記透過表示領域における前記凹凸形状付与手段の占有面積の方が、小さいことを特徴とする液晶表示装置。
【請求項５】
一対の基板間に液晶層を挟持してなり、１つのドット領域内に透過表示を行う透過表示領域と反射表示を行う反射表示領域とが設けられた液晶表示装置であって、
前記液晶層は、垂直配向モードの液晶であり且つ誘電異方性が負の液晶からなり、
前記一対の基板のうち一方の基板の前記反射表示領域には、反射光を散乱させる光散乱付与手段が具備される一方、
前記一方の基板の前記透過表示領域には、前記液晶層に対向する側に、液晶分子の倒れる方向を規制する凹凸形状を付与する凹凸形状付与手段が具備されており、
前記光散乱付与手段と前記凹凸形状付与手段とが同一部材にて構成され、
前記一対の基板のうち他方の基板の前記透過表示領域には、連結部により電気的に接続された複数の島状部からなる画素電極が形成されていることを特徴とする液晶表示装置。
【請求項６】
前記一方の基板に、凸状部を有するカラーフィルタが形成され、
前記一方の基板の前記液晶層に対向する側に、前記液晶分子の倒れる方向を規制する凹凸形状として、前記カラーフィルタの凸状部に倣った凹凸形状が形成されていることを特徴とする請求項５に記載の液晶表示装置。
【請求項７】
前記透過表示領域に形成された電極を具備し、
前記電極は、前記凹凸形状付与手段に重なる領域に開口部を有することを特徴とする請求項４ないし６のいずれか１項に記載の液晶表示装置。
【請求項８】
前記一対の基板のうち一方の基板の前記液晶層と反対側には透過表示用のバックライトが設けられるとともに、該一方の基板の前記液晶層側には前記反射表示領域に反射膜が形成され、
前記反射表示領域には、前記光散乱付与手段として、前記反射膜に凹凸形状を付与するための凹凸付与層が形成されていることを特徴とする請求項４ないし７のいずれか１項に記載の液晶表示装置。
【請求項９】
前記透過表示領域の前記液晶層に対向する側に形成された凹凸形状は、その段差の高さが０．０５μｍ〜１．０μｍであることを特徴とする請求項１ないし８のいずれか１項に記載の液晶表示装置。
【請求項１０】
前記透過表示領域の前記液晶層に対向する側に形成された凹凸形状は傾斜面を有して構成され、その最大傾斜角が２°〜２０°であることを特徴とする請求項１ないし９のいずれか１項に記載の液晶表示装置。
【請求項１１】
請求項１ないし１０のいずれか１項に記載の液晶表示装置を備えたことを特徴とする電子機器。
【手続補正２】
【補正対象書類名】明細書
【補正対象項目名】０００７
【補正方法】変更
【補正の内容】
【０００７】
上記の目的を達成するために、本発明の液晶表示装置は、一対の基板間に液晶層を挟持してなり、１つのドット領域内に透過表示を行う透過表示領域と反射表示を行う反射表示領域とが設けられた液晶表示装置であって、前記液晶層は、垂直配向モードの液晶であり且つ誘電異方性が負の液晶からなり、前記反射表示領域には、反射光を散乱させる光散乱付与手段が具備される一方、前記透過表示領域には、前記液晶層に対向する側に、液晶分子の倒れる方向を規制する凹凸形状を付与する凹凸形状付与手段が具備されており、前記光散乱付与手段と前記凹凸形状付与手段とが同一部材にて形成され、前記光散乱付与手段及び前記凹凸形状付与手段は、複数の樹脂ボールを、該樹脂ボールとは屈折率の異なる樹脂バインダー内に分散させて形成され、前記凹凸形状付与手段は、前記光散乱付与手段よりも低密度に、前記樹脂バインダー内に前記樹脂ボールを分散させて形成されており、前記透過表示領域の前記樹脂バインダーの表面に、前記液晶分子の倒れる方向を規制する凹凸形状が付与されていることを特徴とする。
【手続補正３】
【補正対象書類名】明細書
【補正対象項目名】０００９
【補正方法】変更
【補正の内容】
【０００９】
そこで、本発明の液晶表示装置においては、特に透過表示領域について、液晶層に対向する側に凹凸形状を付与したため、液晶分子が初期状態で垂直配向を呈した上で、この凹凸形状に応じたプレチルトを持つようになる。その結果、液晶分子の倒れる方向を規制ないし制御することが可能となり、配向の乱れ（ディスクリネーション）が生じ難く、光抜け等の表示不良を回避することが可能となり、残像やしみ状のむら等の表示不良が抑えられ、さらには視野角の広い液晶表示装置を提供することが可能となった。
【手続補正４】
【補正対象書類名】明細書
【補正対象項目名】００１０
【補正方法】変更
【補正の内容】
【００１０】
また、特に透過表示領域の液晶層に対向する側に凹凸形状を付与する手段を、反射表示領域における光散乱付与手段と同一部材にて構成するものとしたため、凹凸形状付与手段として別途部材を設ける必要もなく、その凹凸形状を簡便に付与することが可能となり、製造コスト削減に繋がるものとなる。
【手続補正５】
【補正対象書類名】明細書
【補正対象項目名】００１１
【補正方法】変更
【補正の内容】
【００１１】
つまり、本発明によると、散乱付与による良好な反射表示とともに、該光散乱を付与する手段と同一部材にて透過表示領域の液晶層に対向する側に凹凸形状を付与することで、広視野角の表示特性を具備した液晶表示装置を提供することが可能となるのである。
【手続補正６】
【補正対象書類名】明細書
【補正対象項目名】００１２
【補正方法】変更
【補正の内容】
【００１２】
なお、前記光散乱付与手段と前記凹凸形状付与手段とは例えば同一層にて構成することもでき、さらには同一の製造プロセスにて前記光散乱付与手段と前記凹凸形状付与手段とを形成することで、その製造効率が一層高まることとなる。
【手続補正７】
【補正対象書類名】明細書
【補正対象項目名】００１３
【補正方法】変更
【補正の内容】
【００１３】
さらに、本発明の液晶表示装置は、その異なる態様として、一対の基板間に液晶層を挟持してなり、１つのドット領域内に透過表示を行う透過表示領域と反射表示を行う反射表示領域とが設けられた液晶表示装置であって、前記液晶層は、垂直配向モードの液晶であり且つ誘電異方性が負の液晶からなり、前記反射表示領域には、反射光を散乱させる光散乱付与手段が具備される一方、前記透過表示領域には、前記液晶層に対向する側に、液晶分子の倒れる方向を規制する凹凸形状を付与する凹凸形状付与手段が具備されており、前記光散乱付与手段と前記凹凸形状付与手段とが同一部材にて形成され、前記反射表示領域には、前記光散乱付与手段として、前記反射表示領域に形成された反射膜に凹凸形状を付与するための凹凸付与層が形成されており、前記反射表示領域の前記液晶層に対向する側には、液晶分子の倒れる方向を規制し且つ前記凹凸付与層に倣った凹凸形状が形成されていることを特徴とする。また、一対の基板間に液晶層を挟持してなり、１つのドット領域内に透過表示を行う透過表示領域と反射表示を行う反射表示領域とが設けられた液晶表示装置であって、前記液晶層は、垂直配向モードの液晶であり且つ誘電異方性が負の液晶からなり、前記反射表示領域には、反射光を散乱させる光散乱付与手段が具備される一方、前記透過表示領域には、前記液晶層に対向する側に、液晶分子の倒れる方向を規制する凹凸形状を付与する凹凸形状付与手段が具備されており、前記光散乱付与手段と前記凹凸形状付与手段とが同一部材にて構成され、前記反射表示領域における前記光散乱付与手段の占有面積よりも、前記透過表示領域における前記凹凸形状付与手段の占有面積の方が、小さいことを特徴とする。また、一対の基板間に液晶層を挟持してなり、１つのドット領域内に透過表示を行う透過表示領域と反射表示を行う反射表示領域とが設けられた液晶表示装置であって、前記液晶層は、垂直配向モードの液晶であり且つ誘電異方性が負の液晶からなり、前記一対の基板のうち一方の基板の前記反射表示領域には、反射光を散乱させる光散乱付与手段が具備される一方、前記一方の基板の前記透過表示領域には、前記液晶層に対向する側に、液晶分子の倒れる方向を規制する凹凸形状を付与する凹凸形状付与手段が具備されており、前記光散乱付与手段と前記凹凸形状付与手段とが同一部材にて構成され、前記一対の基板のうち他方の基板の前記透過表示領域には、連結部により電気的に接続された複数の島状部からなる画素電極が形成されていることを特徴とする。この場合も、上記同様、樹脂層を同一の製造プロセスにて所定パターンに形成し、これを反射表示領域及び透過表示領域のそれぞれにおいて、光散乱付与手段及び凹凸形状付与手段とすることが可能となる。
【手続補正８】
【補正対象書類名】明細書
【補正対象項目名】００１４
【補正方法】変更
【補正の内容】
【００１４】
また、前記一対の基板のうち一方の基板の前記液晶層と反対側には透過表示用のバックライトが設けられるとともに、該一方の基板の前記液晶層側には前記反射表示領域に反射膜が形成され、前記反射表示領域には、前記光散乱付与手段として、前記反射膜に凹凸形状を付与するための凹凸付与層が形成されている構成としても良い。この場合、反射膜の凹凸形状により反射光が効果的に散乱される一方、透過表示領域では液晶分子の倒れる方向が該凹凸付与層に基づいて制御されることとなる。
【手続補正９】
【補正対象書類名】明細書
【補正対象項目名】００１５
【補正方法】変更
【補正の内容】
【００１５】
さらに、前記反射表示領域において、前記反射膜に形成された凹凸形状に倣って該反射表示領域の液晶層に対向する側に凹凸形状が付与されてなり、該凹凸形状は、前記垂直配向した液晶分子が電界変化に基づいて倒れる方向を規制する構成を具備しているものとすることができる。この場合、反射表示領域において液晶層に対向する側の凹凸形状を、反射膜に形成した散乱用の凹凸形状に倣って形成するものとしたため、該反射表示領域において、別途凹凸形状を付与するための手段を別途設ける必要もない。すなわち、反射膜に散乱用凹凸を形成することにより、反射光を好適に散乱させ、映り込みを防ぐとともに、この凹凸形状に倣って液晶層に対向する側に凹凸形状を付与させることとしたため、製造上も非常に簡便なものとなる。したがって、散乱用凹凸による良好な反射表示とともに、該凹凸形状に基づいて、簡便な構成で反射表示領域の広視野角特性を得ることができるとともに、透過表示領域においても、散乱用凹凸を付与する手段と同一層若しくは同一部材、若しくは同一プロセスにて構成した凹凸形状付与手段にて液晶層に対向する側に凹凸形状を形成したため、反射と透過の双方で優れた表示特性を示す液晶表示装置を提供することが可能となるのである。
【手続補正１０】
【補正対象書類名】明細書
【補正対象項目名】００１６
【補正方法】変更
【補正の内容】
【００１６】
本発明において液晶層に対向する側に付与する凹凸形状は、垂直配向した液晶分子の倒れる方向を規制する構成を具備しているものとすることができ、この場合、垂直配向した液晶分子を所定方向に対し規則的に倒れるようにすることが可能となる。その結果、液晶分子の配向の乱れ（ディスクリネーション）が生じ難く、光抜け等の表示不良を回避することが可能となり、表示特性の高い液晶表示装置を提供することが可能となる。なお、液晶分子の倒れる方向を規制する構成としては、具体的には凹凸形状の表面を液晶分子の垂直配向方向に対して所定の角度だけ傾斜するように構成するものとすることができる。
【手続補正１１】
【補正対象書類名】明細書
【補正対象項目名】００１９
【補正方法】変更
【補正の内容】
【００１９】
上記反射膜に凹凸形状を付与する手段として、例えば前記一方の基板の液晶層側表面に凹凸形状を付与し、該一方の基板の凹凸形状が前記透過表示領域においても形成され、その一方の基板の凹凸形状により前記透過表示領域の液晶層に対向する側に凹凸形状が付与されているものとすることができる。このように一方の基板に対して、反射表示領域と透過表示領域の双方に跨って凹凸形状を付与し、これに倣う形にて反射膜に散乱用凹凸を付与するとともに、透過表示領域及び／又は反射表示領域の液晶層に対向する側に凹凸形状を付与することで、一層簡便な構成により表示特性を向上可能で、製造上も非常に簡便なものとなる。
【手続補正１２】
【補正対象書類名】明細書
【補正対象項目名】００２０
【補正方法】変更
【補正の内容】
【００２０】
また、上記反射膜に凹凸形状を付与する手段として、例えば前記一方の基板と前記反射膜との間に凹凸形状を有する樹脂層が形成されており、該樹脂層が前記透過表示領域においても形成され、その樹脂層の凹凸形状により前記透過表示領域の液晶層に対向する側に凹凸形状が付与されているものとすることができる。このように一方の基板の液晶層側に樹脂層を形成し、該樹脂層に対して反射表示領域と透過表示領域の双方に跨って凹凸形状を形成することで、これに倣う形にて反射膜に散乱用凹凸を付与するとともに、透過表示領域及び／又は反射表示領域の液晶層に対向する側に凹凸形状を付与することが可能となり、一層簡便な構成により表示特性を向上可能で、製造上も非常に簡便なものとなる。
【手続補正１３】
【補正対象書類名】明細書
【補正対象項目名】００２３
【補正方法】変更
【補正の内容】
【００２３】
また、前記透過表示領域に形成された電極を具備し、前記電極は、前記凹凸形状付与手段に重なる領域に開口部を有するものとすることができる。この場合、凸状部の内面側には電極が存在しないため、該凸状部により液晶の倒れる方向と、電気力線の方向が逆方向に傾くため、液晶の倒れる方向が定まり易く、一層安定した液晶分子の配向規制を行うことが可能となる。なお、このような凸状部をカラーフィルタにて形成することが可能で、勿論、該カラーフィルタの凸状部上に電極開口部を設けることで液晶の配向規制を一層安定化させることが可能となる。